(57)【要約】【課題】人手を介することなく何時でもその場で決済を行うことができる貨物無人引受方法を提供する。【解決手段】携帯電話５０の電話番号から差出人の個人認証を行い、さらに差出人が持ってきた貨物７０の大きさや重量を自動的に測定して送料を割り出し、差出人のカード又はＩＣカード機能を内蔵した携帯電話５０で決済操作を可能とする。これにより、人手を介することなく何時でもその場で決済を行うことが可能となり、利用者の利便性が向上するとともに、運送業者の経営効率や集荷サービスの改善を期待できる。【選択図】図１
2007219745.tif 000002
【特許請求の範囲】
【請求項１】
通信を行う通信手段と貨物の大きさや重量を測定する測定手段と各種情報を表示する表示手段とこれらの機能を制御する制御手段とを有するロッカーと、前記ロッカーを管理する管理センタと、運送業者の所有する貨物管理サーバとを備えた貨物無人引受システムにおける貨物無人引受方法において、
前記貨物の差出人が携帯電話で前記ロッカーに電話をかけることを促す工程と、
前記ロッカーが前記通信手段で受けた前記携帯電話の番号を前記表示手段に表示して前記差出人を特定する工程と、
前記測定手段により前記貨物の大きさや重量を測定する工程と、
前記表示手段を用いて前記貨物の配送先である宛先情報の認識を行う工程と、
前記制御手段が個人認証を行った前記差出人に対して前記貨物の測定結果に関連付けて決済を行う工程と、
前記貨物管理サーバに前記貨物の入庫を送信する工程と、
を備える貨物無人引受方法。
【請求項２】
前記ロッカーを管理する管理センタに前記貨物の差出人及び受取人夫々の住所、氏名、電話番号を含む個人情報を登録する工程と、
個人認証を行った前記差出人が前記受取人を指定する工程と、
前記差出人及び受取人夫々の個人情報を元に宛先ラベルを印刷する工程と、
を備える請求項１に記載の貨物無人引受方法。
【発明の詳細な説明】
【技術分野】
【０００１】
本発明は、駅構内、駅構内移動通路、団地の集会所、マンションの入口などの共有スペースあるいは無人販売所等の場所にロッカーを設置し、該ロッカーにて人手を介さず貨物の引受を行う貨物無人引受方法に関する。
【背景技術】
【０００２】
従来、運送業者に貨物の送付を依頼する場合、運送業者の集荷サービスを利用したり、コンビニエンスストアに持ち込んだり、運送業者の最寄りの店舗へ持ち込んだりしている。一方、貨物を受け取る場合、運送業者から直接受け取ったりする以外に、例えばマンションの入り口に設置されたロッカーを介して受け取っている。特に、マンションの入り口にロッカーがある場合は不在のときでも帰宅した時点で受け取ることができるので非常に便利である。なお、この種のロッカーで携帯電話を利用して開錠できるようにした技術が提案されている（例えば、特許文献１参照）。
【０００３】
【特許文献１】特開２００１−３２５６６０号公報
【発明の開示】
【発明が解決しようとする課題】
【０００４】
しかしながら、従来の貨物の引受においては、近くにコンビニエンスストアが無い場合には、時間が拘束される集荷サービスを選択するか、労力を使って最寄りの運送業者の店舗又は遠くても一番近いコンビニエンスストアまで持ち込むしかなく、利便性が悪いという問題がある。
【０００５】
本発明は、係る事情に鑑みてなされたものであり、人手を介することなく何時でもその場で決済を行うことができる貨物無人引受方法を提供することを目的とする。
【課題を解決するための手段】
【０００６】
上記目的は下記方法により達成される。
（１）  本発明の貨物無人引受方法は、通信を行う通信手段と貨物の大きさや重量を測定する測定手段と各種情報を表示する表示手段とこれらの機能を制御する制御手段とを有するロッカーと、前記ロッカーを管理する管理センタと、運送業者の所有する貨物管理サーバとを備えた貨物無人引受システムにおける貨物無人引受方法において、前記貨物の差出人が携帯電話で前記ロッカーに電話をかけることを促す工程と、前記ロッカーが前記通信手段で受けた前記携帯電話の番号を前記表示手段に表示して前記差出人を特定する工程と、前記貨物の大きさや重量を測定する工程と、前記表示手段を用いて前記貨物の配送先である宛先情報の認識を行う工程と、前記制御手段が個人認証を行った前記差出人に対して前記貨物の測定結果に関連付けて決済を行う工程と、前記貨物管理サーバに前記貨物の入庫を送信する工程と、を備える。
【０００７】
（２）  上記貨物無人引受方法において、前記ロッカーを管理する管理センタに前記貨物の差出人及び受取人夫々の住所、氏名、電話番号を含む個人情報を登録する工程と、個人認証を行った前記差出人が前記受取人を指定する工程と、前記差出人及び受取人夫々の個人情報を元に宛先ラベルを印刷する工程と、を備える。
【発明の効果】
【０００８】
上記（１）に記載の貨物無人引受方法では、差出人の個人認証を行い、さらに差出人が持ってきた貨物の大きさや重量を自動的に測定して送料を割り出し、決済を行うので、人手を介することなく何時でもその場で決済を行うことが可能となり、利用者（差出人）の利便性が向上するとともに、運送業者の経営効率や集荷サービスの改善を期待できる。
【０００９】
上記（２）に記載の貨物無人引受方法では、差出人の住所、氏名、電話番号等の登録に加えて、受取人の住所、氏名、電話番号等の登録を可能とし、差出人の個人認証を行い、貨物の受取人を指定し、該貨物の大きさや重量を自動的に測定することで決済を行うとともに宛先ラベルを発行するので、上述した効果に加えて、発送先の郵便番号の入力や貨物ＩＤ番号のバーコードなどによる読み込みが不要となり、発送手配がさらに容易になる。
【発明を実施するための最良の形態】
【００１０】
以下、本発明を実施するための好適な実施の形態について、図面を参照して詳細に説明する。
【００１１】
（実施の形態１）
図１は、本発明の実施の形態１に係る２４時間貨物無人引受サービスシステムの概略構成を示すブロック図である。図１において、本実施の形態の２４時間貨物無人引受サービスシステムは、運用管理センタ１０で管理するＷｅｂサーバ１１、運用サーバ１２及び利用実績データベース１３と、運送業者２０で管理する貨物管理サーバ２１と、貨物無人引受ボックス（ロッカー）３０と、利用者のパーソナルコンピュータ（以下、パソコンと呼ぶ）４０及び携帯電話５０とを備えて構成される。
【００１２】
運用管理センタ１０のＷｅｂサーバ１１は、インターネットなどのネットワーク６０を介して利用者の自宅等のパソコン（ＰＣ）４０や携帯電話５０と双方向通信を行う。運用管理センタ１０の運用サーバ１２は、貨物７０の引受け、発送手配、決済等のサービスを行うものであり、Ｗｅｂサーバ１１を使用して利用者のパソコン４０又は携帯電話５０からの情報を受信するとともに、それらに対して情報を送信する。利用実績データベース１３は、利用者の利用実績を示す情報を蓄積する。また、運用サーバ１２は、運送業者２０の貨物管理サーバ２１との間で貨物７０の発送に関する情報の授受を行う。
【００１３】
運送業者２０の貨物管理サーバ２１は、ネットワーク６０を介して運用管理センタ１０の運用サーバ１２と双方向通信を行い、前述したように貨物７０の発送に関する情報の授受を行う。貨物無人引受ボックス３０は、駅構内、駅構内移動通路、団地の集会所、マンションの入口などの共有スペースあるいは無人販売所等の場所に設置され、２４時間無人で貨物の引受けを行う。貨物無人引受ボックス３０は、少なくとも１つの貨物測定ボックス３１と、複数の引受ボックス３２と、通信を行う通信部（図示略）と、各種情報を表示したり操作を行うための表示部（図示略）と、レシート等を印刷するための印刷装置（図示略）と、各種入力を行うための入力部（図示略）と、またこれらを制御したり決済処理等を行う制御部（図示略）とを備えている。貨物測定ボックス３１は、貨物７０の大きさや重量を測定する。引受ボックス３２は、貨物測定ボックス３１で大きさや重量が測定された貨物７０を収容する。貨物測定ボックス３１内には、図２に示す貨物測定ユニット１００が設置されている。この貨物測定ユニット１００の詳細については後述する。図１に戻り、貨物無人引受ボックス３０は、ネットワーク６０を介して運用管理センタ１０の運用サーバ１２との間で通信を行い、貨物７０の引受けに関する情報を送信する。
【００１４】
次に、図２に示す貨物測定ユニット（装置）１００について説明する。図２において、貨物測定ユニット１００は、装置本体１０１と、強化ガラスを用いたテーブル１０２と、測定ゲート１０３と、Ｈ軸（高さ）発光素子１０４と、Ｈ軸（高さ）受光センサ１０５と、Ｗ軸（幅）発光素子１０６と、Ｗ軸（幅）受光センサ１０７と、エンコーダ１０８とを備えて構成される。テーブル１０２は、測定対象物１１０の大きさ（高さ、幅、奥行）及び重量を測定するものであり、測定対象物（貨物７０に対応する）１１０の大きさを測定ゲート１０３で測定し、重量をテーブル１０２に設けられた図示せぬ圧力センサで測定する。測定ゲート１０３は、図示のように四角の枠状に形成されており、高さ方向の一方の辺にＨ軸発光素子１０４が設けられ、対向する他方の片にＨ軸受光センサ１０５が設けられている。また、測定ゲート１０３の幅方向の一方の辺にＷ軸発光素子１０６が設けられ、対向する他方の片にＷ軸受光センサ１０７が設けられている。測定ゲート１０３は、テーブル１０２に対して図の矢印Ａ方向及びＢ方向に前後移動する。すなわち、装置本体１０１に内蔵された移動機構によって、テーブル１０２上に載置される測定対象物１１０の奥行方向に前後移動する。測定ゲート１０３の移動距離がエンコーダ１０８によって計測される。
【００１５】
Ｈ軸発光素子１０４及びＨ軸受光センサ１０５は、測定ゲート１０３の高さ方向の長さと略同程度の長さに形成されている。また、Ｗ軸発光素子１０６及びＷ軸受光センサ１０７は、測定ゲート１０３の幅方向の長さと略同程度の長さに形成されている。Ｈ軸受光センサ１０５はＨ軸発光素子１０４から出力される光を検出し、Ｗ軸受光センサ１０７はＷ軸発光素子１０６から出力される光を検出する。測定対象物１１０がＨ軸発送素子１０４からの光を遮ることでＨ軸受光センサ１０５の出力より測定対象物１１０の高さ方向の長さを測定できる。また、測定対象物１１０がＷ軸発光素子１０６からの光を遮ることでＷ軸受光センサ１０７の出力より測定対象物１１０の幅方向の長さを測定できる。さらに測定ゲート１０３を移動させることで、Ｈ軸受光センサ１０５の出力又はＷ軸受光センサ１０７の出力により測定対象物１１０の奥行方向の長さを測定できる。この場合、測定対象物１１０の高さ方向の長さや幅方向の長さが一定でなくても測定ゲート１０３を移動させることで、連続して得られるＨ軸受光センサ１０５の出力とＷ軸受光センサ１０７の出力により正確に測定することができる。すなわち、測定対象物１１０がいびつな形をしていても、それの寸法を正確に測定することができる。このようにして測定した測定対象物１１０の大きさ（高さ、幅、奥行）の測定値を重量の測定値とともに前述した制御部（図示略）に送る。
【００１６】
次に、図１を参照して貨物７０の発送手配から受取人に配達されるまでの処理の流れについて説明する。なお、図中の丸で囲んだ数値は以下の括弧で囲んだ数値に対応する。
【００１７】
（１）まず、利用者（差出人）は事前登録を行う。すなわち、自宅等のパソコン４０を使用してＷｅｂサーバ１１に自己所有の携帯電話５０の電話番号やメールアドレスを送信する。なお、事前登録を行わなくても、（３）の空状況検索は可能である。
【００１８】
（３）自宅等のパソコン４０又は携帯電話５０を使用してＷｅｂサーバ１１にアクセスして貨物無人引受ボックス３０の空状況を検索する。
【００１９】
（４）利用者は、貨物無人引受ボックス３０に空きがあることを確認すると、貨物７０を持って貨物無人引受ボックス３０に向かう。この際、携帯電話５０を所持する。
【００２０】
（５）貨物無人引受ボックス３０に到着後、利用者は、携帯電話５０を使用して引受操作を行う。この際、まず携帯電話５０を使用して貨物無人引受ボックス３０に電話をかける。この際、発信者番号通知機能を用いて電話をかけると、携帯電話５０の電話番号が貨物無人引受ボックス３０の制御部に送られ、貨物無人引受ボックス３０の図示せぬ表示パネルに携帯電話５０の電話番号が表示される。利用者は、この表示を見て正しければ確認ボタンをタッチする。その後、運用管理センタ１０から配達先の郵便番号を入力する指示が出され、利用者は配達先の郵便番号をタッチ入力する。その後、利用者は、貨物測定ボックス３１を使用して貨物７０の大きさや重量を測定する。この測定は貨物測定ボックス３１内に貨物７０を入れるだけで、後は貨物測定ボックス３１が自動的に行う。貨物７０の大きさや重量の測定が行われた後、利用者は決済処理を行い、貨物測定ボックス３１から貨物７０を取り出して、空いている引受ボックス３２に入れる。
【００２１】
（６）空いている引受ボックス３２に貨物７０を入れると、貨物無人引受ボックス３０から運用サーバ１２に入庫・決済情報が送信される。すなわち、貨物７０を入庫したことと、大きさや重量の測定から算出した料金が運用サーバ１２に送信される。
【００２２】
（７）貨物無人引受ボックス３０から入庫・決済情報が送られてくると、運用サーバ１２から運送業者２０の貨物管理サーバ２１に入庫情報が送信される。
【００２３】
（８）貨物管理サーバ２１に入庫情報が送られてくると、運送業者２０の担当者が入庫情報を元に貨物無人引受ボックス３０に入庫された貨物７０を集荷する。
【００２４】
（９）運送業者２０の担当者が貨物無人引受ボックス３０から貨物７０を出庫すると、貨物無人引受ボックス３０から運用サーバ１２に出庫情報が送信される。
【００２５】
（１０）運送業者２０の担当者は、受取人宅８０に向けて貨物７０を配達する。
【００２６】
（１１）貨物７０の配達を完了すると、運送業者２０の貨物管理サーバ２１から運用管理センタ１０の運用サーバ１２に配達完了情報が送信される。
【００２７】
（１３）１ヶ月ごとに１ヶ月分の引受結果が運用管理センタ１０の運用サーバ１２から運送業者２０の貨物管理サーバ２１に送信される。なお、（２）及び（１２）は実施の形態２で説明する。
【００２８】
次に、本実施の形態に係る２４時間貨物無人引受サービスシステムの操作及び動作を説明する。図３は、本実施の形態に係る２４時間貨物無人引受サービスシステムの動作を含む操作過程を示すフロー図である。図４は、本実施の形態に係る２４時間貨物無人引受サービスシステムの動作における表示の遷移を示す図である。なお、この説明においては、事前登録及び貨物無人引受ボックス３０の空状況を検索し終えて、貨物無人引受ボックス３０に利用者が貨物７０を持ってきたところから始めるものとする。
【００２９】
図３において、利用者は、貨物無人引受ボックス３０に貨物７０を持参し、操作を開始する（ステップＳＴ１）。なお、貨物７０には貨物ラベル（宅配業者で使用しているような貨物に貼り付けできる伝票）が貼ってあるものとする。操作を開始すると、図４のステップＳＴ２０に示すように、貨物無人引受ボックス３０の表示パネルにはメニュー選択画面が表示される。利用者はこの表示を見て「貨物発送サービス」ボタンにタッチする（ステップＳＴ２）。「貨物発送サービス」ボタンがタッチされると、図４のステップＳＴ２１に示すように携帯電話認証画面が表示される。この携帯電話認証画面には「携帯電話の番号を確認します。表示された電話番号に電話をかけてください。０７０−ＸＸＸＸ−ＸＸＸＸ 非通知の場合は１８６をつけてください。」というメッセージが表示されるとともに、「戻る」ボタンと「中止」ボタンが表示される。
【００３０】
利用者はこの表示を見て、表示されている電話番号に自己の携帯電話５０で電話をかけると貨物無人引受ボックス３０に電話がかかる（ステップＳＴ３）。ここで、処理を前に戻したい場合は「戻る」ボタンにタッチし、処理を中止したい場合は「中止」ボタンにタッチする。「戻る」ボタンと「中止」ボタンがともに操作されることなく、利用者が貨物無人引受ボックス３０の表示パネルに表示されている電話番号に電話をかけると、図４のステップＳＴ２２に示すように、携帯電話番号確認画面が表示される。この携帯電話番号確認画面には、「携帯電話番号は、０９０−ＸＸＸＸ−ＸＸＸＸでよろしいですか？ 電話を切って確認してください。」というメッセージとともに、「はい」ボタンと「いいえ」ボタンが表示される。
【００３１】
利用者はこの表示を見て、自己の電話番号が表示されているのを確認すると、確認ボタンすなわち「はい」ボタンをタッチする（ステップＳＴ４）。利用者が「はい」ボタンをタッチすると、図４のステップＳＴ２３に示すように、測定ボックス開錠画面が表示される。この測定ボックス開錠画面には「貨物サイズ及び重量を測定します。画面右の扉に貨物を入れて閉めてください。」というメッセージとともに、「戻る」ボタンと「中止」ボタンが表示される。利用者はこの表示を見て貨物７０の貨物測定ボックス３１内に入れて扉を閉める（ステップＳＴ５）。ここで、処理を前に戻したい場合は「戻る」ボタンにタッチし、処理を中止したい場合は「中止」ボタンにタッチする。「戻る」ボタンと「中止」ボタンがともに操作されることなく、貨物７０を貨物測定ボックス３１内に入れると、測定が開始される（ステップＳＴ６）、図４のステップＳＴ２４に示すように、測定中画面が表示される。この測定中画面には「貨物サイズ及び重量を測定しています。 画面右のボックスのランプが青になったら、貨物を取り出してください。」というメッセージとともに、「戻る」ボタンと「中止」ボタンが表示される。また、測定中であれば、「・・・測定中・・・」というメッセージが表示される。ここで、処理を前に戻したい場合は「戻る」ボタンにタッチし、処理を中止したい場合は「中止」ボタンにタッチする。
【００３２】
そして、貨物７０のサイズ及び重量の測定が終了すると、貨物７０の取り出しを誘導し、測定結果を画面に表示して確認をする（ステップＳＴ７）。この際、図４のステップＳＴ２５に示すように、測定正常終了画面が表示される。この測定正常終了画面には「貨物サイズ及び重量測定が完了しました。 貨物を取り出してください。」というメッセージとともに、測定結果（奥行：４０センチ 幅：３０センチ 高さ：３０センチ 貨物サイズ：１００センチ 重量５８３０グラム）が表示される。さらに、「はい」ボタンと「いいえ」ボタンが表示される。
【００３３】
その後、入庫可能な引受ボックスを表示する（ステップＳＴ８）。この際、図４のステップＳＴ２６に示すように、入庫ボックス選択画面が表示される。この入庫ボックス選択画面には「利用したいボックス番号を選んでください。青色のボックスが利用可能です。」というメッセージが表示される。さらに、「戻る」ボタンと「中止」ボタンが表示される。
【００３４】
利用者はこの表示を見て利用したい引受ボックス３２の番号をタッチする。ここで、処理を前に戻したい場合は「戻る」ボタンにタッチし、処理を中止したい場合は「中止」ボタンにタッチする。「戻る」ボタンと「中止」ボタンがともに操作されることなくボックス番号がタッチされると、図４のステップＳＴ２７に示すように発送先登録画面が表示される。この発送先登録画面には「発送先の郵便番号を７桁をテンキーで入力してください。よろしいですか？」というメッセージとともに、「テンキー」と「はい」ボタンと「いいえ」ボタンが表示される。利用者はこの表示を見て配達先の郵便番号７桁をタッチ入力する（ステップＳＴ９）。入力した郵便番号はボックスのパネルに表示される。利用者は、配達先の郵便番号７桁を入力した後、送り先が正しければ「はい」ボタンをタッチし、訂正する場合は「いいえ」ボタンをタッチする（ステップＳＴ１０）。
【００３５】
利用者が「はい」ボタンをタッチすると、図４のステップＳＴ２８に示すように、貨物ＩＤ登録画面が表示される。この貨物ＩＤ登録画面には「伝票の「ご依頼主控え」をはがし、「取扱店控え」のバーコードをリーダにかざすか、伝票内の貨物ＩＤ番号を入力してください。 よろしいですか？」というメッセージとともに、「テンキー」と「はい」ボタンと「いいえ」ボタンが表示される。
【００３６】
利用者はこの表示を見て貨物ＩＤ番号のバーコードを貨物無人引受ボックス３０に備えられたバーコードリーダ（図示略）に読み取らせる操作を行う（ステップＳＴ１１）。貨物ＩＤ番号のバーコードが正常に読み込まれると、「読み取りＯＫ」のメッセージが表示される。正常に読み込まれなかった場合は「読み取りＮＧ」というメッセージが表示される。このメッセージが表示された場合、利用者は再度貨物ＩＤ番号のバーコードを読み取らせる操作を行う。
【００３７】
その後、図４のステップＳＴ２９に示すように、決済画面が表示される。この決済画面には「料金を投入してください。」というメッセージとともに、（貨物サイズ：１００センチ 配送先：ＸＸ県ＸＸ市ＸＸＸ 貨物ＩＤ番号：ＸＸＸＸＸＸＸＸＸＸＸＸ 送料：８００円）が表示される。さらに、「クレジットカード」ボタンと「戻る」ボタンと「中止」ボタンが表示される。なお、送料は、貨物サイズと重量と配送先住所とを元に計算される。
【００３８】
利用者はこの表示から料金を確認して支払い方法を選択し、カード又はＩＣカード機能を内蔵した携帯電話５０等で決済操作を行う（ステップＳＴ１２）。ここで、処理を前に戻したい場合は「戻る」ボタンにタッチし、処理を中止したい場合は「中止」ボタンにタッチする。決済を完了すると、図４のステップＳＴ３０に示すように、決済完了・入庫ボックス開錠画面が表示される。この決済完了・入庫ボックス開錠画面には「４番のボックスに貨物を入れ、扉を閉めてください。レシートが発行されます。 「ご依頼主控え」とセットで受領証となりますので必ずお持ち帰りください。」というメッセージとともに、「<注意事項> 」のメッセージが表示される。利用者は、選択した引受ボックスが開錠されるので、その引受ボックス内に貨物７０を入れて扉を閉める（ステップＳＴ１３）。貨物ＩＤ番号付レシート（領収書）が印刷され、利用者が引受ボックス内に貨物７０を入れると引受ボックスが施錠されて操作が完了する（ステップＳＴ１４）。図５はその印刷結果の一例である。この例では、ボックス番号：４、設置場所：横浜市・・・・・、ご利用金額：８００円、利用ＩＤ：０５１１０＊＊＊＊＊＊等が印字されている。
【００３９】
このように本実施の形態の２４時間貨物無人引受サービスシステムによれば、差出人の個人認証を行い、さらに差出人が持ってきた貨物７０の大きさや重量を自動的に測定して送料を割り出し、決済を行うので、人手を介することなく何時でもその場で決済を行うことが可能となり、利用者の利便性が向上するとともに、運送業者の経営効率や集荷サービスの改善を期待できる。
【００４０】
（実施の形態２）
次に、本発明の実施の形態２に係る２４時間貨物無人引受サービスシステムについて説明する。本実施の形態では、利用者（差出人）が事前登録を行う際に、自身の住所、氏名、携帯番号等の他に、受取人の住所、氏名、携帯番号等を入力可能としている（前述した実施の形態１における（２）に相当する）。また、集荷時に、宛先ラベルに受取人と差出人の住所、氏名、携帯番号等を自動的に印刷する印刷装置を内蔵しており、運送業者は、この印刷装置にて印刷された宛先ラベルを貨物に添付する。また、配達が完了すると、利用者の携帯電話５０に配達完了を示すメールを送信する（前述した実施の形態１における（１２）に相当する）。
【００４１】
図６は、本実施の形態に係る２４時間貨物無人引受サービスシステムの動作を含む操作過程を示すフロー図である。図７は、本実施の形態に係る２４時間貨物無人引受サービスシステムの動作における表示の遷移を示す図である。なお、本実施の形態に係る２４時間貨物無人引受サービスシステムは、前述した実施の形態１に係る２４時間貨物無人引受サービスシステムと同一のシステムであるので、説明上必要な場合には図１を援用することとする。また、図６において図３と共通する部分、すなわちステップＳＴ４１〜４７及びステップＳＴ４９〜５０とステップＳＴ２〜８及びステップＳＴ１２〜１３については同一内容であるので説明を省略し、異なる部分について説明する。またそれに合わせて図７については主にステップＳＴ６７及びＳＴ７０を参照する。なお、ステップＳＴ４０においては、実施の形態１のときと異なり、貨物７０に貨物ラベルを貼ることなく操作を開始することを想定している。
【００４２】
本実施の形態では、上述したように、予め発送先の住所、氏名、電話番号等を運用管理センタ１０の運用サーバ１２に登録しておき、貨物７０の発送の際に利用者の電話番号を確認することで、運用サーバ１２に登録された全ての発送先を表示し、そのなかから任意の受取人を選択できるようになっている。このようにすることにより、発送先の郵便番号の入力や貨物ＩＤ番号のバーコードの読み込みが不要となり、発送手配を容易に行うことができる。
【００４３】
さて、利用者が入庫ボックス選択画面で利用したい引受ボックス３２の番号をタッチすると、登録してある宛先情報が表示される（ステップＳＴ４８）。この場合、図７のステップＳＴ６７に示すように、発送先選択画面が表示される。この発送先選択画面には「発送先を選択してください。」というメッセージとともに、予め登録済みの発送先住所（登録１：東京都世田谷区・・・ 登録２：神奈川県横浜市・・・ 登録３：新潟県新潟市・・・）が表示される。さらに、「戻る」ボタンと「中止」ボタンが表示される。ここで、処理を前に戻したい場合は「戻る」ボタンにタッチし、処理を中止したい場合は「中止」ボタンにタッチする。
【００４４】
その後、利用者に、貨物ＩＤ番号付レシート（領収書）とお届け先とご依頼主の住所、氏名等の情報が記載された明細書が印刷され、操作が完了する（ステップＳＴ５１）。この際、明細書が２枚発行される。１枚は利用者の控えとなり、残りの１枚は運送業者が貨物を受け取りに来た際、該当する貨物が入っている引受ボックスをマスターキーで開錠した際に印刷される。運送業者は、この明細書を宛先ラベル（貨物ラベル）として貨物７０に添付し、管理する。図８は、その印刷結果の一例である。この例では、［お届け先］１０５＊＊＊＊東京都港区・・・・・・・○○○○ 様 電話番号：０３６４０３＊＊＊＊ お客様電話番号：０９０＊＊＊＊＊＊＊＊  ［ご依頼主］２２２＊＊＊＊神奈川県横浜市・・・・・・・□□□□ 様 ボックス番号：４ 利用ＩＤ：０５１１０＊＊＊＊＊＊ お客様電話番号：０８０＊＊＊＊＊＊＊＊  備考 郵便料金：８００円 品名：△△△  発送業者名：○○○○○○ お問合せ貨物番号：９７８４８８３９９３３１４  ［お問合せ先］△△△△（０３−＊＊＊＊−＊＊＊＊）が印字されている。
【００４５】
そして、決済が完了し、貨物７０が引受ボックス３２に入れられた後、図７のステップＳＴ７０に示すように、配達完了メール通知画面が表示される。この配達完了メール通知画面には、「サービスを希望しますか？」というメッセージとともに、「はい」ボタンと「いいえ」ボタンが表示される。利用者は、配達完了メール通知サービスを希望する場合は「はい」ボタンをタッチし、希望しない場合は「いいえ」ボタンをタッチする。「はい」ボタンを選択すると、受取人に貨物７０が届いた後、携帯電話５０に配達完了メールが送信される。
【００４６】
このように本実施の形態の２４時間貨物無人引受サービスシステムによれば、発送先の住所、氏名、電話番号（携帯電話）等の登録を可能とし、差出人の個人認証を行い、貨物７０の受取人を指定し、該貨物の大きさや重量を自動的に測定することで決済を行うとともに宛先ラベルを発行するので、実施の形態１の２４時間貨物無人引受サービスシステムによる効果に加えて、発送先の郵便番号の入力や貨物ＩＤ番号のバーコードの読み込みが不要となり、発送手配がさらに容易になる。
【産業上の利用可能性】
【００４７】
本発明は、人手を介することなく何時でもその場で決済を行うことができるといった効果を有し、駅構内、駅構内移動通路、団地の集会所、マンションの入口などの共有スペースあるいは無人販売所等の場所に設置するロッカーなどへの適用が可能である。
【図面の簡単な説明】
【００４８】
【図１】本発明の実施の形態１に係る２４時間貨物無人引受サービスシステムの概略構成を示すブロック図
【図２】本発明の実施の形態１に係る２４時間貨物無人引受サービスシステムの貨物無人引受ボックスに用いられる貨物測定ユニットを示す斜視図
【図３】本発明の実施の形態１に係る２４時間貨物無人引受サービスシステムの動作を含む操作過程を示すフロー図
【図４】本発明の実施の形態１に係る２４時間貨物無人引受サービスシステムの動作における表示の遷移を示す図
【図５】本発明の実施の形態１に係る２４時間貨物無人引受サービスシステムにおける印刷結果の一例を示す図
【図６】本発明の実施の形態２に係る２４時間貨物無人引受サービスシステムの動作を含む操作過程を示すフロー図
【図７】本発明の実施の形態２に係る２４時間貨物無人引受サービスシステムの動作における表示の遷移を示す図
【図８】本発明の実施の形態２に係る２４時間貨物無人引受サービスシステムにおける印刷結果の一例を示す図
【符号の説明】
【００４９】
１０  運用管理センタ
１１  Ｗｅｂサーバ
１２  運用サーバ
１３  利用実績データベース
２０  運送業者
２１  貨物管理サーバ
３０  貨物無人引受ボックス
３１  貨物測定ボックス
３２  引受ボックス
４０  パソコン
５０  携帯電話
６０  ネットワーク
７０  貨物
８０  受取人宅
１００  貨物測定ユニット
１０１  本体
１０２  テーブル
１０３  測定ゲート
１０４  Ｈ軸（高さ）発光素子
１０５  Ｈ軸（高さ）受光センサ
１０６  Ｗ軸（幅）発光素子
１０７  Ｗ軸（幅）受光センサ
１０８  エンコーダ
１１０  測定対象物
【図１】
2007219745.tif 000003
【図２】
2007219745.tif 000004
【図３】
2007219745.tif 000005
【図４】
2007219745.tif 000006
【図５】
2007219745.tif 000007
【図６】
2007219745.tif 000008
【図７】
2007219745.tif 000009
【図８】
2007219745.tif 000010